(57)【特許請求の範囲】
【請求項１】
通信光が伝搬する主光ファイバを湾曲させて曲げ部を形成する曲げ部形成器と、
前記曲げ部形成器が主光ファイバに形成している前記曲げ部に先端を近接させ、前記曲げ部を介して前記主光ファイバとの間で光を入出力するプローブファイバと、
前記曲げ部を外部から視認可能な窓と、
を備える光ファイバ側方入出力装置。
【請求項２】
請求項１に記載の光ファイバ側方入出力装置と、
識別光として可視光を発生させる可視光光源部と、
前記可視光光源部からの前記識別光を前記プローブファイバの前記先端から出射させるように前記識別光を前記プローブファイバに結合する光合波部と、
前記プローブファイバを伝搬する通信光の状態を検出する検知部と、
前記検知部が検出した前記通信光の状態に応じて前記可視光光源部に前記識別光の状態を変化させる制御部と、
を備えることを特徴とする光線路切替システム。
【請求項３】
前記検知部を内蔵し、前記プローブファイバを伝搬する通信光を増幅する中継アンプ部をさらに備えており、
前記検知部は前記中継アンプ部に到着する通信光で前記通信光の状態を検出することを特徴とする請求項２に記載の光線路切替システム。
【請求項４】
前記検知部が検知する前記通信光の状態が、前記通信光の有無、並びに前記通信光の伝搬する方向であり、
前記制御部が前記可視光光源部に変化させる前記識別光の状態が、連続、点滅、及び消光であることを特徴とする請求項２又は３に記載の光線路切替システム。
【請求項５】
前記検知部が検知する前記通信光の状態が、前記通信光の有無、並びに前記通信光の伝搬する方向であり、
前記制御部が前記可視光光源部に変化させる前記識別光の状態が、色の変化であることを特徴とする請求項２又は３に記載の光線路切替システム。
【請求項６】
前記検知部が検出した前記通信光の状態に応じて音を発生させる音源部をさらに備えることを特徴とする請求項２又は３に記載の光線路切替システム。
【請求項７】
前記検知部が検知する前記通信光の状態が、前記通信光の有無、並びに前記通信光の伝搬する方向であり、
前記音源部が発生させる音が、連続音、断続音、及び無音であることを特徴とする請求項６に記載の光線路切替システム。
【請求項８】
前記通信光が、映像伝送サービス用の映像光信号と他の光信号であり、
前記光合波部は、前記識別光と前記映像光信号とを合波した後に前記他の光信号を合波することを特徴とする請求項２から７のいずれかに記載の光線路切替システム。
【発明の詳細な説明】
【技術分野】
【０００１】
本発明は、光ファイバの側方から光信号を入出射させる光ファイバ側方入出力装置及び当該装置を備える光線路切替システムに関する。
【背景技術】
【０００２】
光ファイバケーブルを用いた通信システムでは、通信網の工事を終えた後に、光ファイバ心線に光信号を伝送させて光ファイバ網の断線の有無を調べ、断線がないことを確認した後サービスの提供を開始している。光ファイバへの光信号の入力及び光ファイバから出力される光信号の受光は、伝送装置間を接続している光ファイバの一部を切断してコネクタを取り付け、このコネクタを用いて実施することが一般的だった。しかし、光ファイバを切断することは加入者へのサービスを止めることになるため、事前に加入者に対しサービスの停止を説明することが必要となり、工期が長くなる。もし、光ファイバを切断することなく工事を行うことができれば、加入者への事前の説明が不要になるため、工事期間の短縮が期待できる。また、工事中に光ファイバを切断しなくて済むことで、工事期間中においても加入者へのサービスを維持することができる。
【０００３】
そこで、光ファイバを切断することなく光信号を光ファイバに入出力する技術として、既設の主光ファイバ（被入力側光ファイバ）に曲げを与え、この曲げ部位に側面から別の光ファイバ（プローブファイバ）を対向させ、当該プローブファイバの先端部から光信号を入射すると共に、被入力側光ファイバから出射される光信号をプローブファイバの先端部で受光する光ファイバ側方入出力技術が検討されている。
【０００４】
例えば非特許文献１には、現用の主光ファイバを、凸曲面を有する円筒ブロックとこの円筒ブロックに対応する凹曲面を有する透明ブロックとの間に挟み込むことで主光ファイバに曲げを与えると共に、上記透明ブロック内に形成した空隙部にプローブファイバを挿入してその先端部を上記曲げ部に突き当てるように配置し、これにより上記主光ファイバから透明ブロックの凹曲面に放射された光信号を、上記プローブファイバに受光させる側方入出力技術が記載されている。
【先行技術文献】
【非特許文献】
【０００５】
【非特許文献１】廣田ほか、「側方入出力技術を用いた光線路切替装置の検討」、電子情報通信学会信学技報、ＩＥＩＣＥ  Ｔｅｃｈｎｉｃａｌ  Ｒｅｐｏｒｔ  ＯＦＴ  ２０１３−５０  （２０１４−０１）
【発明の概要】
【発明が解決しようとする課題】
【０００６】
光ファイバ側方入出力装置は、現用の主光ファイバを曲げて漏洩する光をプローブファイバの先端で受光、又はプローブファイバの先端から放射される光を主光ファイバの曲げ部で受光し、光入出力を行う装置である。図１は、従来の光ファイバ側方入出力装置を用いて光線路を現用線路から迂回線路へ切り替える光線路切替作業を説明する図である。図１において、「ＩＤＭ」は、統合光配線架（Ｉｎｔｅｇｒａｔｅｄ  Ｄｉｓｔｒｉｂｕｔｉｏｎ  Ｍｏｄｕｌｅ）である。本明細書では、主光ファイバを現用線路として説明することがある。また、光ファイバ側方入出力装置内にある迂回線路の先端をプローブファイバとして説明している。
【０００７】
迂回線路経由で主光ファイバに入力するための通信光が局側から中継アンプまで到達すると、中継アンプ筐体の表示用ＬＥＤなどで表示されるため、作業者はそれにより信号の有無を確認できる。また、光ファイバ側方入出力装置を用いて迂回線路に切替されるとＯＮＵからの上り光が中継アンプに到達するため、作業者は中継アンプ筐体のＬＥＤなどで信号の有無を確認できる。つまり、従来は、中継アンプの表示ＬＥＤ等で光線路切替作業の成功／失敗を判断していた。
【０００８】
しかし、中継アンプは光ファイバ側方入出力装置と離れた場所にあり作業者の手元にはないため、作業者が光ファイバ側方入出力装置の設置成功を確認するためには視線が離れて時間がかかるという課題があった。また、中継アンプからの光が光ファイバ側方入出力装置まで到達していることを確認することができないという課題もあった。また、光ファイバ側方入出力装置の設置を失敗した場合、通信光を主光ファイバへ戻す必要があるが、中継アンプの筐体の表示用ＬＥＤまで視線を移す時間がかかるために作業者が即応できないという課題もあった。
【０００９】
例えば、視線が離れないように上記の表示ＬＥＤを光ファイバ側方入出力装置自体に設置して切替が成功したか否かを表示することは技術的に可能である。しかしそのためのＬＥＤと回路を光ファイバ側方入出力装置に積載する必要があり、装置の大きさや重さが増加するとともに電気配線が追加され、作業性が低下してしまう。
【００１０】
そこで、本発明は、光ファイバ側方入出力装置の大きさや重さを増加させないという条件のもと、作業者が光ファイバ側方入出力装置から視線を外さずに、光線路切替作業の成功又は失敗を認識できる光ファイバ側方入出力装置及び光線路切替システムを提供することを目的とする。
【課題を解決するための手段】
【００１１】
上記目的を達成するため、本発明に係る光ファイバ側方入出力装置は主光ファイバの曲げ部近傍に窓を有し、プローブファイバの先端から出力した可視光の散乱を視認可能とした。
【００１２】
具体的には、本発明に係る光ファイバ側方入出力装置は、通信光が伝搬する主光ファイバを湾曲させて曲げ部を形成する曲げ部形成器と、
前記曲げ部形成器が主光ファイバに形成している前記曲げ部に先端を近接させ、前記曲げ部を介して前記主光ファイバとの間で光を入出力するプローブファイバと、
前記曲げ部を外部から視認可能な窓と、
を備える。
【００１３】
本光ファイバ側方入出力装置は、筐体に窓を有しており、当該窓から曲げ部を見ることができる構造である。このため、プローブファイバから可視光を曲げ部に照射すれば、可視光は曲げ部で散乱し、作業者は窓を通してこれを視認することができる。つまり、光線路切替作業を行う際に、本光ファイバ側方入出力装置を用い、迂回線路に伝搬する通信光を検出したときにプローブファイバに可視光を重畳すれば、作業者は散乱する可視光を確認して光線路切替作業の成功／失敗を確認できる。また、光ファイバ側方入出力装置の筐体に窓を設けることは装置の大きさや重さを増加させない。
【００１４】
従って、本発明は、光ファイバ側方入出力装置の大きさや重さを増加させないという条件のもと、作業者が光ファイバ側方入出力装置から視線を外さずに、光ファイバ側方入出力装置設置の成功又は失敗を認識できる光ファイバ側方入出力装置を提供することができる。
【００１５】
上記目的を達成するため、本発明に係る光線路切替システムは、迂回線路に伝搬する通信光を検出したときに光ファイバ側方入出力装置のプローブファイバに可視光を重畳する機能を有することとした。
【００１６】
具体的には、本発明に係る光線路切替システムは、前記光ファイバ側方入出力装置と、
識別光として可視光を発生させる可視光光源部と、
前記可視光光源部からの前記識別光を前記プローブファイバの前記先端から出射させるように前記識別光を前記プローブファイバに結合する光合波部と、
前記プローブファイバを伝搬する通信光の状態を検出する検知部と、
前記検知部が検出した前記通信光の状態に応じて前記可視光光源部に前記識別光の状態を変化させる制御部と、
を備える。
【００１７】
ここで、前記検知部を内蔵し、前記プローブファイバを伝搬する通信光を増幅する中継アンプ部をさらに備えており、前記検知部は前記中継アンプ部に到着する通信光で前記通信光の状態を検出することが好ましい。
【００１８】
迂回線路にある検知部（例えば、中継アンプ部の内部に配置）はＯＮＵからの上り信号光を検知した時に、主光ファイバからプローブファイバ（迂回線路）へ切替成功と判断して、プローブファイバに可視光を結合する。また、検知部はＯＬＴからの下り信号光を検知した時に、ＯＬＴ側で主光ファイバからプローブファイバへ切替成功したと判断して、プローブファイバに可視光を結合する。この可視光は、光ファイバ側方入出力装置内部のプローブファイバ先端から放射され、光ファイバ側面で散乱する。作業者は光ファイバ側方入出力装置内部でこの散乱光を確認することで迂回経路への切替成功を判別できる。
また、迂回線路に可視光を結合するだけなので、光ファイバ側方入出力装置本体で通信状態を表示するための電子回路や表示部等の付加は不要で重量形状が増加することはない。
【００１９】
従って、本発明は、光ファイバ側方入出力装置の大きさや重さを増加させないという条件のもと、作業者が光ファイバ側方入出力装置から視線を外さずに、光ファイバ側方入出力装置設置の成功又は失敗を認識できる光線路切替システムを提供することができる。
【００２０】
本発明に係る光線路切替システムは、前記検知部が検知する前記通信光の状態が、前記通信光の有無、並びに前記通信光の伝搬する方向であり、
前記制御部が前記可視光光源部に変化させる前記識別光の状態が、連続、点滅、及び消光であることを特徴とする。
【００２１】
例えば、ＯＬＴからの光が検知部（例えば、中継アンプ）に到達した時に可視光を連続点灯させ、ＯＬＴからの光の到達を作業者に知らせる。また、検知部がＯＮＵ側からの上り光（光ファイバ側方入出力装置で主光ファイバからプローブファイバへ結合した光）を検知した場合は可視光を点滅させて作業者に知らせる。これにより作業者は手元の光ファイバ側方入出力装置から視線を外さずに通信の状態を確認でき、作業が容易になる。
【００２２】
本発明に係る光線路切替システムは、前記検知部が検知する前記通信光の状態が、前記通信光の有無、並びに前記通信光の伝搬する方向であり、
前記制御部が前記可視光光源部に変化させる前記識別光の状態が、色の変化であることを特徴とする。
【００２３】
例えば、ＯＬＴからの光が検知部（例えば、中継アンプ）に到達した時に赤色の可視光を連続点灯させ、ＯＬＴからの光の到達を作業者に知らせる。また、検知部がＯＮＵ側からの上り光（光ファイバ側方入出力装置で主光ファイバからプローブファイバへ結合した光）を検知した場合は青色の可視光を点滅させて作業者に知らせる。これにより作業者は手元の光ファイバ側方入出力装置から視線を外さずに通信の状態を確認でき、作業が容易になる。
【００２４】
本発明に係る光線路切替システムは、前記検知部が検出した前記通信光の状態に応じて音を発生させる音源部をさらに備える。本光線路切替システムは、音源部を有し、下り光信号検知および上り光信号検知によってスピーカや作業者のヘッドホンから音を発生させる。作業者は聴覚でも光線路切替作業の成功／失敗を判別できる。また、中継アンプにスピーカを設置すれば、光ファイバ側方入出力装置本体で通信状態を表示するための電子回路や表示部等の付加は不要で重量形状が増加することはない。
【００２５】
例えば、本発明に係る光線路切替システムは、前記検知部が検知する前記通信光の状態が、前記通信光の有無、並びに前記通信光の伝搬する方向であり、前記音源部が発生させる音が、連続音、断続音、及び無音であることが好ましい。
【００２６】
なお、前記通信光が、映像伝送サービス用の映像光信号と他の光信号である場合、
前記光合波部は、前記識別光と前記映像光信号とを合波した後に前記他の光信号を合波する。映像伝送サービス用の光と可視光をまず合波し、その後ＧＥ−ＰＯＮ等の他の光信号を合波することによって、ＧＥ−ＰＯＮ等の光信号の損失を抑える効果がある。
【００２７】
本発明に係る線路切替システムは、上述した光ファイバ側方入出力装置を備えるため、作業者は、本発明に係る光ファイバ側方入出力装置を使用することで、切替工事時に光ファイバ側方入出力装置から視線を外さずに通信状態を確認できる。
【００２８】
従って、本発明は、光ファイバ側方入出力装置の大きさや重さを増加させないという条件のもと、作業者が光ファイバ側方入出力装置から視線を外さずに、光ファイバ側方入出力装置設置の成功又は失敗を認識できる線路切替システムを提供することができる。
【発明の効果】
【００２９】
本発明は、光ファイバ側方入出力装置の大きさや重さを増加させないという条件のもと、作業者が光ファイバ側方入出力装置から視線を外さずに、光ファイバ側方入出力装置設置の成功又は失敗を認識できる光ファイバ側方入出力装置及び光線路切替システムを提供することができる。
【図面の簡単な説明】
【００３０】
【図１】従来の光線路切替システムを説明する図である。
【図２】本発明に係る光ファイバ側方入出力装置の動作を説明する図である。通信光が迂回線路を伝搬していない場合を説明する図である。
【図３】本発明に係る光ファイバ側方入出力装置の動作を説明する図である。ＯＬＴ側からの下り通信光が迂回線路を伝搬する場合を説明する図である。
【図４】本発明に係る光ファイバ側方入出力装置の動作を説明する図である。ＯＮＵ側からの上り通信光が迂回線路を伝搬する場合を説明する図である。
【図５】本発明に係る光線路切替システムを説明する図である。
【図６】本発明に係る光線路切替システムを説明する図である。
【図７】本発明に係る光線路切替システムを説明する図である。
【図８】本発明に係る光線路切替システムを説明する図である。
【図９】本発明に係る光線路切替システムを説明する図である。
【発明を実施するための形態】
【００３１】
以下に、本発明を実施するための形態について詳細を図面に基づいて説明する。なお、本発明は以下の記述により限定されるものではなく、本発明の要旨を逸脱しない範囲において適宜変更可能である。なお、本明細書及び図面において符号が同じ構成要素は、相互に同一のものを示すものとする。
【００３２】
［第１の実施形態］
図２から図４は、本実施形態の光ファイバ側方入出力装置３０１の動作を説明する図である。光ファイバ側方入出力装置３０１は、現用線路１００の主光ファイバを曲げて、迂回線路１５０経由からの通信光を、光ファイバを曲げた部分（曲げ部）の表面を経由してＯＮＵ等の通信端末側へ入出力する装置である。
【００３３】
光ファイバ側方入出力装置３０１は、通信光が伝搬する主光ファイバ１００を湾曲させて曲げ部を形成する曲げ部形成器１５と、
曲げ部形成器１５が主光ファイバ１００に形成している前記曲げ部近傍に先端を近接させ、前記曲げ部を介して主光ファイバ１００との間で光を入出力するプローブファイバ１５０と、
前記曲げ部を外部から視認可能な窓１０と、
を備える。
なお、プローブファイバとは、迂回線路１５０の先端部分の光ファイバを指す。
【００３４】
曲げ部形成器１５は、凸曲面を有する円筒ブロック１５ａと、円筒ブロック１５ａに対応する凹曲面を有する透明ブロック１５ｂとで構成される。主光ファイバ１００は円筒ブロック１５ａと透明ブロック１５ｂとの間に配置される。プローブファイバ１５０は、透明ブロック１５ｂ内に形成した空隙部に挿入され、その先端部が上記曲げ部に突き当てるように配置される（図２及び図３）。そして、光線路切替作業時に、円筒ブロック１５ａを透明ブロック１５ｂ方向へ押し込むことで主光ファイバ１００に曲げ部を形成する（図４）。
【００３５】
ＯＬＴが迂回線路１５０で送信した通信光は、中継アンプ（図２〜４において不図示）を経由し、迂回線路１５０の先端（プローブファイバ）から放射され、現用線路１００の主光ファイバの曲げ部に入射される。ＯＮＵが送信した通信光は、現用線路１００の主光ファイバの曲げ部から漏洩し、プローブファイバ先端に入射し、迂回線路１５０を伝搬する。
【００３６】
ところが、通信光は近赤外線なので曲げ部表面で散乱していても作業者は目視できない。そこで、迂回線路１５０に可視光を合波し、光ファイバ側方入出力装置３０１においてプローブファイバ先端から可視光を放射する。放射された可視光は曲げ部の表面で散乱する。可視光なので、作業者はその散乱を目視することができる。筐体の曲げ部近傍を窓１０として透明又は半透明にしておくと装置外部から可視光の散乱が目視可能となる。
【００３７】
通信光の状態によって、光ファイバ側方入出力装置３０１において、次のように可視光を観測することができる。
（１）光線路切替作業前（上り下りとも迂回線路１５０に通信光が伝搬していない場合）は可視光消灯（図２）。
図２は、主光ファイバ１００に曲げ部を形成する前の状態である。迂回線路１５０に通信光は伝搬していない。この場合、プローブファイバへの可視光を入射することを停止する。作業者は、光ファイバ側方入出力装置３０１の窓１０に散乱光を視認できないため、迂回線路１５０に通信光が伝搬していないことを容易に確認することができる。
（２）光線路切替作業前で、迂回線路１５０にＯＮＵへの下り通信光が伝搬している場合は可視光を連続点灯（図３）。
迂回線路１５０に下り通信光が伝搬している。この場合、プローブファイバへ連続可視光を入射する。プローブからの可視光は透明ブロック１５ｂ内で散乱する。作業者は、光ファイバ側方入出力装置３０１の窓１０から散乱している可視光を視認でき、さらに連続して散乱していることを視認して迂回線路に下り通信光が伝搬していることを確認できる。
（３）光線路切替作業後で、迂回線路１５０にＯＮＵからの上り通信光が伝搬している場合は可視光を点滅（図４）。
迂回線路１５０に上り通信光が伝搬している。この場合、プローブファイバへ点滅させた可視光を入射する。プローブからの可視光は透明ブロック１５ｂ内で散乱する。作業者は、光ファイバ側方入出力装置３０１の窓１０に散乱している可視光を視認でき、さらに散乱が点滅していることを視認して迂回線路に上り通信光が伝搬していることを確認できる。
【００３８】
光ファイバ側方入出力装置３０１を使用することで、切替工事作業者は下り通信光が迂回線路１５０先端まで到達していること、及びファイバ曲げ後にＯＮＵからの上り通信光が迂回線路１５０を伝搬していることを窓１０で容易に視認することができる。つまり、作業者は、切替作業中に視線を外さないで光ファイバ側方入出力装置の設置について成功か失敗かを容易に確認でき、作業効率が向上する。
【００３９】
［第２の実施形態］
図５は、本実施形態の光線路切替システム４０１を説明する図である。光線路切替システム４０１は、光ファイバ側方光入出力装置３０１と、
識別光として可視光を発生させる可視光光源１７０と、
可視光光源１７０からの前記識別光を前記プローブファイバの前記先端から出射させるように前記識別光を迂回線路１５０に結合する光合波部２０と、
迂回線路１５０を伝搬する通信光の状態を検出する検知部（１６３、１６４）と、
検知部（１６３、１６４）が検出した前記通信光の状態に応じて可視光光源１７０に前記識別光の状態を変化させる制御部３０と、
を備える。
【００４０】
ここで、光線路切替システム４０１は、検知部（１６３、１６４）を内蔵し、前記プローブファイバを伝搬する通信光を増幅する中継アンプ部１６０をさらに備えており、検知部（１６３、１６４）は中継アンプ部１６０に到着する通信光で前記通信光の状態を検出する。
【００４１】
図５を用いて通信光の状況と可視光光源の動作を説明する。光線路切替システム４０１は、中継アンプ部１６０内にある光検知部（１６３、１６４）を利用する形態である。中継アンプ部１６０はＯＬＴ側と通信を行う対ＯＬＴ光トランシーバ１６１とＯＮＵ側と通信を行う対ＯＮＵ光トランシーバ１６２を持つ。さらに、中継アンプ部１６０は、対ＯＬＴ光トランシーバ１６１にＯＬＴからの下り通信光が到達した際に下り通信光をフォトダイオードで検知する下り光検知部１６３を持つ。中継アンプ部１６０は、対ＯＮＵ光トランシーバ１６２にＯＮＵからの上り通信光が到達した際に上り通信光をフォトダイオードで検知する上り光検知部１６４を持つ。
【００４２】
下り光検知部１６３及び上り光検知部１６４は、それぞれ検知信号を可視光光源制御部３０にたとえばＴＴＬ（Ｔｒａｎｓｉｓｔｏｒ−Ｔｒａｎｓｉｓｔｏｒ  Ｌｏｇｉｃ）信号で送信する。可視光光源制御部３０は、下り光検知の場合、可視光光源１７０を連続点灯させ、上り光検知の場合、可視光光源１７０を点滅させる。可視光光源１７０からの可視光はＷＤＭカプラ２１によって対ＯＮＵ光トランシーバ１６２からの通信光と合波されて、光ファイバ側方入出力装置３０１のプローブファイバから放射される。
【００４３】
具体的に説明する。迂回線路１５０を経由してＯＬＴから波長１４９０ｎｍの下り通信光が中継アンプ部１６０に到着した場合、下り光検知部１６３は可視光光源制御部３０へ検知信号を通知する。中継アンプ部１６０は下り通信光を対ＯＮＵ光トランシーバ１６２から迂回線路１５０の先端（プローブファイバ）へ出力する。また、可視光光源制御部３０は、当該検知信号により可視光光源１７０から連続可視光を出力させる。当該連続可視光は、ＷＤＭカプラ２１で通信光と合波され、プローブファイバ先端から主光ファイバの曲げ部へ出力される。
【００４４】
一方、主光ファイバの曲げ部から漏洩した、ＯＮＵから波長１３１０ｎｍの上り通信光が中継アンプ部１６０に到着した場合、上り光検知部１６４は可視光光源制御部３０へ検知信号を通知する。中継アンプ部１６０は上り通信光を対ＯＬＴ光トランシーバ１６１からＯＬＴ方向へ出力する。また、可視光光源制御部３０は、当該検知信号により可視光光源１７０から点滅可視光を出力させる。当該点滅可視光は、ＷＤＭカプラ２１でプローブファイバに入力され、プローブファイバ先端から主光ファイバの曲げ部へ出力される。
【００４５】
なお、下り光検知部１６３及び上り光検知部１６４ともに通信光を検知しない場合は、検知信号を出力しないため、可視光光源制御部３０は可視光光源から可視光を出力させない。
【００４６】
図６は光線路切替システム４０１を用いて作業者が線路切替工事を行う作業を説明する図である。作業者は可視光光源１７０からの可視光散乱により、通信状況を光ファイバ側方入出力装置３０１内で目視確認可能である。さらに、作業者は、散乱光が連続、点滅、あるいは見えない（可視光光源消灯）を確認することで通信光がどのような状態にあるのかを把握することができる。これにより、作業者は光ファイバ側方入出力装置３０１から視線を外さずに作業できるので、作業の効率化が期待できる。
【００４７】
［第３の実施形態］
図７は、本実施形態の光線路切替システム４０２を説明する図である。光線路切替システム４０２は、図５で説明した光線路切替システム４０１に検知部（１６３、１６４）が検出した前記通信光の状態に応じて音を発生させる音源部４０をさらに備える。音源部４０は、音源制御部４１とスピーカ４２で構成される。スピーカ４２は作業者のヘッドホン等であってもよい。光線路切替システム４０２において、音源部４０以外の動作は図５の光線路切替システム４０１と同じである。このため、以下では、音源部４０に関することを説明する。
【００４８】
上り光検知部１６４及び下り光検知部１６３は、それぞれ上り通信光及び下り通信光の光検知信号を可視光光源制御部３０と音源制御部４１へ送信し、可視光光源制御部３０と連動させる。例えば、下り通信光を検知した場合、可視光光源制御部３０が可視光光源１７０を連続点灯させるとともに、音源制御部４１がスピーカ４２に対して連続音を発生させる。また、上り通信光を検知した場合、可視光光源制御部３０が可視光光源１７０を点滅させるとともに、音源制御部４１がスピーカ４２に対して音の発生と停止を繰り返させる。
【００４９】
なお、下り光検知部１６３及び上り光検知部１６４ともに通信光を検知しない場合は、検知信号を出力しないため、可視光光源制御部３０は可視光光源１７０から可視光を出力させず、音源制御部４１もスピーカ４２から音を出力させない。
【００５０】
光線路切替システム４０２は、このように光と音を連動させることによって視覚及び聴覚によって作業者に通信状況を把握させることができる。音は、晴天下で可視光を視認し難い場合に有効であり、作業者は光線路切替システム４０２を用いることでより確実に通信状況を把握できる。
【００５１】
［第４の実施形態］
図８は、本実施形態の光線路切替システム４０３を説明する図である。また、図９は光線路切替システム４０３を用いて作業者が線路切替工事を行う作業を説明する図である。現用線路においてＧＥ−ＰＯＮの光信号とともに映像伝送サービス（波長１５５０ｎｍ）もなされている場合がある。映像伝送サービスの増幅中継はファイバアンプで行われることが一般的である。光線路切替システム４０３は、映像伝送サービスを含む通信光を現用線路から迂回線路へ切り替えるシステムである。
【００５２】
光線路切替システム４０３は、図５の光線路切替システム４０１に映像光信号用のファイバアンプ１８０と通信光と映像光信号を合分波するＷＤＭカプラ１９０をさらに備える。また、光線路切替システム４０３の光合波部２０の、図５の光合波部２０との違いは、がＷＤＭカプラを２つ（ＷＤＭカプラ２１とＷＤＭカプラ２２）備える点である。
【００５３】
光線路切替システム４０３は、ファイバアンプ１８０からの映像光信号と可視光光源１７０からの可視光とを合波することが必要になる。図１の従来技術ではファイバアンプからの映像光信号を中継アンプからの通信光と合波して光ファイバ側方入出力装置へ送っていた。ここで、可視光を映像光信号と通信光とを合波した後に合波する構成であれば、映像光信号と通信光は、２回合波器を通過することになる。合波器がＷＤＭカプラであれば、ＷＤＭカプラには、例えば、０．３ｄＢ程度の損失があるため、通信光はＷＤＭカプラを２回通過し、０．６ｄＢ程度弱まることになる。
【００５４】
一方、光線路切替システム４０３のＷＤＭカプラ配置では、ＷＤＭカプラ２２で可視光と映像光信号を合波し、その後ＷＤＭカプラ２１で通信光を合波する。この配置ならば、通信光はＷＤＭカプラを１回通過するだけなので０．３ｄＢの損失に抑えることができる。なお、映像光信号と可視光については、ＷＤＭカプラを２回通過することになるが、ファイバアンプ１８０からの光は非常に強い（例えば２０ｄＢｍ）ため、ＷＤＭカプラ２回分の損失は許容できる。また、可視光光源の出力は特に強いわけではないが（例えば７ｄＢｍ程度）、光ファイバ側方入出力装置３０１内で主光ファイバの曲げ部表面での散乱を視認できれば十分であるので、この程度の損失は許容できる。
【００５５】
［その他の実施形態］
以上は最適条件の例を示したが、これに限定するものではない。これまで述べた実施例では下り光検知で可視光を連続点灯させ、上り光検知で点滅としているが、これに限らず適当な異なるパターンで区別してもよいし、可視光光源を２種類用意して色で区別してもよい。音源についても同様である。
【００５６】
上記実施形態では、中継アンプ部に検知部が配置されるように記載しているが、検知部は、中継アンプ部以外の迂回線路に配置してもよい。また、中継アンプ部、可視光光源、ＷＤＭカプラ、スピーカ、ファイバアンプは個別の装置であるように記載したが、全て同一筐体に含んでいても同様の効果を発揮できる。また、曲げファイバ付近の窓材質は可視光を透過するのであれば、透明、半透明どちらでもよい。また、透明プラスチックの導波路等で別な場所に送光してそこで発光させてもよい。
【００５７】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【００５８】
［付記］
以下は、本実施形態の光線路切替システムを説明したものである。
（目的）
線路切替作業中において可視光や音もしくはその両方によりリアルタイムで通信状況を確認しながら切替作業を行うことができる光ファイバ側方入出力装置を提供することを目的とする。
【００５９】
本発明に係る光ファイバ側方入出力装置は、プローブファイバ端付近を透明にして可視光を視認できるようにしている。光線路切替作業成功の場合、光ファイバ側方入出力装置の迂回線路に可視光を合波し、迂回線路に接続されるプローブファイバ先端から可視光を放射し、光ファイバ側面で散乱させる。作業者は、光ファイバ側方入出力装置内部で散乱して発光する光を確認することで光線路切替の成功を判別する。
【００６０】
この発明によれば以下のような作用効果が呈せられる。
（Ａ）光ファイバ側方入出力装置内部のファイバ曲げ部に対して光を入出力するファイバに対して可視光を入力することにより、曲げファイバ被覆表面にて可視光を散乱させ、光ファイバ側方入出力装置の筐体におけるファイバ先端付近を光を透過する窓とすることによって、通信状況を可視光の点灯点滅で表現して、作業者が通信状況を視線を外さずに認識することができて、作業が効率化する効果がある。
（Ｂ）光ファイバ側方入出力装置に付随した中継アンプからの光検知信号によって可視光の点灯点滅と連動して音を発生させることによって周囲が明るい場合などに作業者の通信状況認識がより容易になる効果がある。
（Ｃ）映像伝送サービス用の光と可視光をまず合波し、その後ＧＥ−ＰＯＮ通信光とを合波することによって、ＧＥ−ＰＯＮ通信光の損失を抑える効果がある。
【産業上の利用可能性】
【００６１】
光ファイバアクセス網において光ファイバ網の保守作業の際に現用線路を挟み込んで曲げを形成することにより、当該光ファイバの側面から信号の入出力を行うことができる。この技術は現用線路信号のモニタ、試験光の入力、線路切替等において使用することができる。
【符号の説明】
【００６２】
１０：窓
１５：曲げ部形成器
１５ａ：円筒ブロック
１５ｂ：透明ブロック
２０：光合波部
２１、２２：ＷＤＭカプラ
３０：制御部（可視光光源制御部）
４０：音源部
４１：音源制御部
４２：スピーカ
１００：現用線路（主光ファイバ）
１５０：迂回線路（プローブファイバ）
１６０：中継アンプ
１６１：対ＯＬＴ光トランシーバ
１６２：対ＯＮＵ光トランシーバ
１６３：下り光検知部
１６４：上り光検知部
１７０：可視光光源
１８０：ファイバアンプ
１９０：ＷＤＭカプラ
３０１：光ファイバ側方入出力装置
４０１〜４０３：光線路切替システム
【図１】
0006356646.tif 000002
【図２】
0006356646.tif 000003
【図３】
0006356646.tif 000004
【図４】
0006356646.tif 000005
【図５】
0006356646.tif 000006
【図６】
0006356646.tif 000007
【図７】
0006356646.tif 000008
【図８】
0006356646.tif 000009
【図９】
0006356646.tif 000010